(57)【要約】【課題】  デジタル信号処理基板と並設されているアナログ信号処理基板に搭載されるチューナユニットの電磁波シールド性を高める。チューナユニットのアナログ信号処理基板に対する組立性を改善する。【解決手段】  チューナユニット６０が、電磁波シールド性を有する筐体６２を備えてアナログ信号処理基板５０に搭載されるチューナ本体６１と、チューナ本体６１の筐体６２の端面から突出してデジタル信号処理基板４０に装備されたコネクタ９１に差込み接続されるピン型端子６３と、筐体６２に固定されたシールド板６４とを有する。シールド板６４の一端部に設けた接触片部６９を、デジタル信号処理基板４０側のシールド部材４１に接触状態で係合させる。シールド板６４の他端部に設けたビス止め片部７１を、アナログ信号処理基板５０にビス止めによって固定する。【選択図】        図３
2009266907.tif 000002
【特許請求の範囲】
【請求項１】
電磁波シールド性と導電性とを有する筐体を備えてアナログ信号処理基板に搭載されるチューナ本体と、チューナ本体の上記筐体の端面から突出してデジタル信号処理基板に装備されたコネクタに差込み接続されるピン型端子と、チューナ本体の上記筐体の長さよりも長い面板部を有して電磁波シールド性と導電性とを有するシールド板とを有し、
シールド板の上記面板部が上記筐体に重なり状態で固定されてその面板部の一端部とその反対側の他端部とが上記筐体の一端側及び他端側にそれぞれ張り出していると共に、シールド板の上記一端部に、上記デジタル信号処理基板に備わっているシールド部材に接触してそのシールド部材に当該シールド板を電気的に接続する接触片部が形成され、シールド板の上記他端部に、ビス止めによってアナログ信号処理基板に固定されるビス止め片部が形成されていることを特徴とするチューナユニット。
【請求項２】
上記接触片部が上記面板部に対して直角又は略直角に曲成されてなり、その接触片部が、上記シールド部材に形成された差込み口に挿入されてその口縁部の内面に重なり状に係合可能である請求項１に記載したチューナユニット。
【請求項３】
上記ビス止め片部が、上記ビス止めに用いられる取付けビスの挿入孔を有して、上記接触片部を上記シールド部材の差込み口の口縁部の内面に重なり状に係合させたときに上記ビス止め片部の上記挿入孔が上記アナログ信号処理基板に設けられているビス挿入孔に位置合わせされるように、上記挿入孔と上記接触片部との間隔が定められている請求項２に記載したチューナユニット。
【請求項４】
板状のフレーム部材と、このフレーム部材に並べて取り付けられたアナログ信号処理基板及びデジタル信号処理基板と、上記デジタル信号処理基板に備わっているシールド部材と、上記アナログ信号処理基板に実装されるチューナユニットとを備えるアナログデジタル複合機の電磁波シールド構造であって、
上記チューナユニットが、電磁波シールド性と導電性とを有する筐体を備えて上記アナログ信号処理基板に搭載されるチューナ本体と、チューナ本体の上記筐体の端面から突出してデジタル信号処理基板に装備されたコネクタに差込み接続されたピン型端子とを有していると共に、上記チューナ本体の上記筐体の長さよりも長い面板部を有して電磁波シールド性と導電性とを有するシールド板とを有し、
シールド板の上記面板部が上記筐体に重なり状態で固定されてその面板部の一端部とその反対側の他端部とが上記筐体の一端側及び他端側にそれぞれ張り出し、そのシールド板の上記一端部に形成された接触片部が、上記デジタル信号処理基板に備わっているシールド部材に接触してそのシールド部材に当該シールド板が電気的に接続され、かつ、シールド板の上記他端部に形成されたビス止め片部が、そのビス止め片部に設けられた取付けビスの挿入孔と上記アナログ信号処理基板に設けられたビス挿入孔とに挿通されて上記フレーム部材のねじ孔にねじ込まれた取付けビスによって上記アナログ信号処理基板に固定されていることを特徴とするアナログデジタル複合機の電磁波シールド構造。
【請求項５】
チューナユニットの上記筐体とシールド板の上記面板部との固定箇所では、上記面板部に開設された孔部の孔縁部と上記筐体に切起し形成されて上記孔部に挿入された半田付け片とが半田付けされている請求項４に記載したアナログデジタル複合機の電磁波シールド構造。
【請求項６】
上記接触片部と上記シールド部材との接触箇所では、上記面板部の一端部に直角又は略直角に形成された接触片部が上記シールド部材に形成された差込み口に挿入されていて、その接触片部の根元部分が上記差込み口の口縁部に接触し、かつ、その口縁部の内面に上記突片が係合することによって上記差込み口からの当該接触片部の抜出しが阻止されている請求項４又は請求項５に記載したアナログデジタル複合機の電磁波シールド構造。
【発明の詳細な説明】
【技術分野】
【０００１】
本発明は、デジタル信号処理基板と並設されたアナログ信号処理基板に搭載されるチューナユニットであって、電磁波シールド性とアナログ信号処理基板に対する組立性とを改善するための対策が講じられているチューナユニットに関する。
【０００２】
また、本発明は、アナログ信号とデジタル信号との両方を処理する機能を備えたアナログデジタル複合機において、アナログ信号処理基板に搭載されるチューナユニットの電磁波シールド性能を向上させるための対策を講じた電磁波シールド構造に関する。
【背景技術】
【０００３】
従来、アナログ放送とデジタル放送との両方を受信することのできるテレビジョン受像機において、デジタル信号を処理する際に発生するノイズが、アナログ信号処理を行うチューナに影響を及ばさないようにするための提案がなされていた（たとえば、特許文献１参照）。この特許文献１には、デジタル信号処理回路から発生するノイズがチューナに与える影響を抑えることを目的として、チューナユニットが搭載された主回路基板に、チューナユニットに近接させた位置で、電子部品の実装面がシールドケースで覆われたデジタル信号処理基板を起立姿勢で取り付けた構成が示されている。そして、この構成によると、チューナユニットからデジタル信号処理基板への配線を短くして外部からノイズの発生を抑えることができる、とされている。
【０００４】
また、従来では、ＤＶＤ装置内蔵型テレビジョンに関し、ＤＶＤ装置をシールドケースで覆うことによって、当該ＤＶＤ装置内蔵型テレビジョンの筐体の外部へのノイズの不要輻射のレベル低減を図ることが提案されている（たとえば、特許文献２参照）。
【０００５】
さらに、従来では、アンテナジャックとチューナユニットとを結ぶアンテナ入力ラインのシールド構造に関し、アンテナジャックとチューナユニットとが実装されているプリント基板に相隣接して設けられている２つの孔のうち、一方側の孔にアンテナジャックに半田付け接続されたシールド板の挿通部を挿通させ、他方側の孔にチューナユニットの固定爪を挿通させると共に、それらの挿通部と固定爪とをプリント基板の裏面側で半田付けして接続することによってアンテナ入力ラインを形成することが提案されている（たとえば、特許文献３参照）。
【特許文献１】特開２００７−９７００２号公報（図１、０００９）
【特許文献２】実用新案登録第３０７５８０８号公報
【特許文献３】特開２０００−２５２６７８号公報
【発明の開示】
【発明が解決しようとする課題】
【０００６】
特許文献１及び特許文献２では、デジタル信号処理回路又はＤＶＤ装置でなるデジタル要素をシールドケースで覆うという構成を採用すると、デジタル信号処理に伴って発生するノイズの外部への不要輻射が抑えられるとされている。また、特許文献３によると、アンテナ入力ラインの半田付け箇所の品質安定性を向上させることができる、とされている。
【０００７】
しかしながら、特許文献１や同文献２では、デジタル信号処理基板（デジタル信号処理回路）からのノイズの外部への不要輻射をシールドケースによって抑えるという技術が示されているに過ぎず、デジタル信号処理基板と並設されているアナログ信号処理基板にチューナユニットが実装されている場合に、チューナユニットの電磁波シールド性を高めるための技術については何も示されていない。また、特許文献３には、アンテナ入力ラインの半田付け箇所の品質安定性を向上させるための対策が示されているだけである。
【０００８】
本発明は、以上の状況に鑑み、デジタル信号処理基板からのノイズの外部への不要輻射が、そのデジタル信号処理基板を覆うシールド部材によって抑制されているものに関して、デジタル信号処理基板と並設されているアナログ信号処理基板に搭載されるチューナユニットの電磁波シールド性を高めることが可能になるチューナユニットを提供することを目的とする。併せて、そのようなチューナユニットのアナログ信号処理基板に対する組立性を改善することを可能にすることを目的としている。
【０００９】
また、本発明は、シールド部材によって覆われているデジタル信号処理基板にチューナユニットを搭載したアナログ信号処理基板が並設されているようなアナログデジタル複合機に関して、チューナユニットに高い電磁波シールド性能を備えさせることが可能になる電磁波シールド構造を提供することを目的とする。
【課題を解決するための手段】
【００１０】
本発明に係るチューナユニットは、電磁波シールド性と導電性とを有する筐体を備えてアナログ信号処理基板に搭載されるチューナ本体と、チューナ本体の上記筐体の端面から突出してデジタル信号処理基板に装備されたコネクタに差込み接続されるピン型端子と、チューナ本体の上記筐体の長さよりも長い面板部を有して電磁波シールド性と導電性とを有するシールド板とを有している。そして、シールド板の上記面板部が上記筐体に重なり状態で固定されてその面板部の一端部とその反対側の他端部とが上記筐体の一端側及び他端側にそれぞれ張り出していると共に、シールド板の上記一端部に、上記デジタル信号処理基板に備わっているシールド部材に接触してそのシールド部材に当該シールド板を電気的に接続する接触片部が形成され、シールド板の上記他端部に、ビス止めによってアナログ信号処理基板に固定されるビス止め片部が形成されている。
【００１１】
この構成を備えたチューナユニットによると、チューナ本体に備わっている筐体が電磁波シールド性を発揮するだけでなく、その筐体に重なり状態で固定されてその筐体の一端側及び他端側に張り出しているシールド板によっても電磁波シールド性が発揮される。そのため、チューナ本体をアナログ信号処理基板に取り付けたシールドケースなどによって覆わせることなく、チューナユニットの電磁波シールド性がシールド板を持たないものに比べて改善される。また、デジタル信号処理基板のシールド部材は一般的に当該デジタル信号処理基板のグランドパターンに電気的接続されているので、チューナユニットのシールド板の接触片部がシールド部材に接触する構成になっていることにより、リード線などを用いて配線を行うことなく、チューナユニットのシールド板がデジタル信号処理基板側のシールド部材を介してグランドパターンに電気的接続されるようになる。したがって、ノイズの影響が配線を介してチューナユニットに及ぶという事態の起こる余地がない。
【００１２】
また、この構成によると、チューナ本体にシールド板が固定されて両者が一体になっていて、シールド板の接触片部をデジタル信号処理基板に備わっているシールド部材に接触させた状態で、シールド板のビス止め片部をアナログ信号処理基板にビス止めによって固定するだけで、チューナ本体とシールド板とを含むチューナユニットをアナログ信号処理基板に実装することが可能になる。そのため、チューナ本体とシールド板とを別々の取付け工程を経てアナログ信号処理基板に実装する必要がなくなり、それだけチューナユニットのアナログ信号処理基板に対する組立性が改善される。
【００１３】
本発明に係るチューナユニットでは、上記接触片部が上記面板部に対して直角又は略直角に曲成されてなり、その接触片部が、上記シールド部材に形成された差込み口に挿入されてその口縁部の内面に重なり状に係合可能である、という構成を採用することが望ましい。この構成であれば、チューナユニットをアナログ信号処理基板に実装するのに必要なビス止め箇所の数を最少限度に抑えられるだけでなく、そのビス止め作業を容易に行うことが可能になる。したがって、チューナユニットのアナログ信号処理基板に対する組立性が改善される。
【００１４】
本発明に係るチューナユニットでは、上記ビス止め片部が、上記ビス止めに用いられる取付けビスの挿入孔を有して、上記接触片部を上記シールド部材の差込み口の口縁部の内面に重なり状に係合させたときに上記ビス止め片部の上記挿入孔が上記アナログ信号処理基板に設けられているビス挿入孔に位置合わせされるように、上記挿入孔と上記接触片部との間隔が定められていることが望ましい。この構成を採用すると、接触片部をシールド部材の差込み口の口縁部の内面に重なり状に係合させるだけで、ビス止め片部の挿入孔がアナログ信号処理基板のビス挿入孔に位置合わせされるので、ビス止め作業を容易かつ迅速に行うことができるようになって組立性が改善される。
【００１５】
本発明に係るアナログデジタル複合機の電磁波シールド構造は、板状のフレーム部材と、このフレーム部材に並べて取り付けられたアナログ信号処理基板及びデジタル信号処理基板と、上記デジタル信号処理基板に備わっているシールド部材と、上記アナログ信号処理基板に実装されるチューナユニットとを備える。
【００１６】
そして、上記チューナユニットが、電磁波シールド性と導電性とを有する筐体を備えて上記アナログ信号処理基板に搭載されるチューナ本体と、チューナ本体の上記筐体の端面から突出してデジタル信号処理基板に装備されたコネクタに差込み接続されたピン型端子とを有していると共に、上記チューナ本体の上記筐体の長さよりも長い面板部を有して電磁波シールド性と導電性とを有するシールド板とを有している。
【００１７】
また、シールド板の上記面板部が上記筐体に重なり状態で固定されてその面板部の一端部とその反対側の他端部とが上記筐体の一端側及び他端側にそれぞれ張り出し、そのシールド板の上記一端部に形成された接触片部が、上記デジタル信号処理基板に備わっているシールド部材に接触してそのシールド部材に当該シールド板が電気的に接続され、かつ、シールド板の上記他端部に形成されたビス止め片部が、そのビス止め片部に設けられた取付けビスの挿入孔と上記アナログ信号処理基板に設けられたビス挿入孔とに挿通されて上記フレーム部材のねじ孔にねじ込まれた取付けビスによって上記アナログ信号処理基板に固定されている。
【００１８】
このような構成されているアナログデジタル複合機の電磁波シールド構造によると、一般的にはデジタル信号処理基板のグランドパターンに電気的接続されているシールド部材に、アナログ信号処理基板に搭載されているチューナユニットの電磁波シールド性を高めているシールド板が接触しているために、チューナユニットをシールドケースなどで別途覆っておかなくても、チューナユニットに優れた電磁波シールド性が付与されるようになる。
【００１９】
本発明に係るアナログデジタル複合機の電磁波シールド構造にあっては、チューナユニットの上記筐体とシールド板の上記面板部との固定箇所では、上記面板部に開設された孔部の孔縁部と上記筐体に切起し形成されて上記孔部に挿入された半田付け片とが半田付けされていることが望ましい。この構成であると、面板部側の孔部の孔縁部と筐体側の半田付け片とが半田付けされていることにより、チューナユニットの筐体とシールド板との電気的接続性能の信頼性が向上し、シールド板による電磁波シールド性も向上する。
【００２０】
本発明に係るアナログデジタル複合機の電磁波シールド構造において、上記接触片部と上記シールド部材との接触箇所では、上記面板部の一端部に直角又は略直角に形成された接触片部が上記シールド部材に形成された差込み口に挿入されていて、その接触片部の根元部分が上記差込み口の口縁部に接触し、かつ、その口縁部の内面に上記突片が係合することによって上記差込み口からの当該接触片部の抜出しが阻止されていることが望ましい。この構成を採用すると、シールド板の接触片部がシールド部材の差込み口から抜け出てシールド板とシールド部材との電気的接続状態が不安定になり、その結果、電磁波シールド性が低下するという事態が防止される。
【発明の効果】
【００２１】
以上説明したように、本発明に係るチューナユニットは優れた電磁波シールド性を有している。特に、チューナ本体の筐体が電磁波シールド性を発揮するだけでなく、その筐体に重なり状に固定されたシールド板も電磁波シールド性を発揮するので、チューナ本体をアナログ信号処理基板に取り付けたシールドケースで覆わなくても、また、チューナ本体の筐体の形状に変更を加えなくても、チューナユニットが優れた電磁波シールド性を発揮するようになる。その上、デジタル信号処理基板のシールド部材との接触片部とアナログ信号処理基板に対するビス止め片部とを有するシールド板が、チューナ本体に一体化されているので、デジタル信号処理基板から出るノイズの不要輻射による影響を受けにくいチューナユニットを組立性よくアナログ信号処理基板に取り付けることが可能になる。
【００２２】
また、本発明に係るアナログデジタル複合機の電磁波シールド構造によれば、チューナ本体の構成を変更したり余分にリード線を用いて配線を行うことなく、デジタル信号処理基板のシールド部材を利用してアナログ信号処理基板に搭載されているチューナユニットの電磁波シールド性を改善することが可能になる。
【発明を実施するための最良の形態】
【００２３】
図１はアナログデジタル複合機の一例である液晶型テレジョン受像機に適用されている電磁波シールド構造を示した概略側面図である。また、図２はチューナユニット６０及びそのチューナユニット６０をアナログ信号処理基板５０に取り付ける際の組立工程を例示した説明図、図３は上記アナログデジタル複合機の電磁波シールド構造の要部を示した一部破断側面図、図４は上記組立工程で行われる動作手順を示した説明図である。さらに、図５はシールド板６４を例示した概略斜視図である。
【００２４】
図１に示したアナログデジタル複合機は、液晶セル１１やその液晶セル１１の背部に配備された板状のフレーム部材１２のほか、図示していない光学部品などを備える液晶モジュール１０と、フロントパネル２０及びフロントパネル２０に合わせて結合されるリアパネル３０とを有している。また、液晶モジュール１０のフレーム部材１２には、箱形のシールド部材４１によって覆われたデジタル信号処理基板４０と、チューナユニット６０が実装されたアナログ信号処理基板５０とが並べて取り付けられている。そして、デジタル信号処理基板４０では、それに実装されている電子部品がシールド部材４１によって覆われていて、そのシールド部材４１がデジタル信号処理基板４０のグラントパターン（不図示）に電気的接続されていることにより、デジタル信号の処理時にノイズが外部に不要輻射されることが抑制されている。
【００２５】
次に、アナログ信号処理基板５０に実装されているチューナユニット６０の構成を説明する。このチューナユニット６０は、外郭が箱形の筐体６２によって形成されているチューナ本体６１と、筐体６２の端面から突出されたピン型端子６３とを有していることに加えて、板状のシールド板６４を有している。
【００２６】
チューナ本体６１の筐体６２は、それ自体が電磁波シールド性と導電性とを有している。また、チューナユニット６０のシールド板６４もそれ自体が電磁波シールド性と導電性を有している。そして、図２などに示したように、シールド板６４は、チューナ本体６１の筐体６２の長さよりも長い面板部６５を有していて、その面板部６５が上記筐体６２に重なり状態で固定されている。筐体６２と面板部６５との固定箇所では、同図によって類推することができるように、筐体６２に切起し形成された半田付け片６６が面板部６５に開設された孔部６７（図５参照）に挿入されていて、それらの孔部６７の孔縁部と半田付け片６６とが半田付け６８によって接合されている。この実施形態では、このような半田付け６８による接合箇所Ａを２箇所に設けることによって、シールド板６５をチューナ本体６１の筐体６２に確実に接合されるようにして、筐体６２とシールド板６５との電気的接続安定性を高めてある。
【００２７】
図５に示したように、シールド板６４は、その面板部６５の一端部に、面板部６５に対して直角又は略直角に折り曲げて形成された短い突片でなる接触片部６９を有している。また、面板部６５の他端部がＬ字形に折り曲げられていて、そのＬ字形の折曲げ箇所における面板部６５からの張出し部位がビス止め片部７１とされていて、そのビス止め片部７１に取付けビス８０（図２参照）の挿入孔７２が開設されている。そして、図２のように、チューナ本体６１の筐体６２に重なり状に固定されているシールド板６４の面板部６５の一端部が、上記筐体６２の一端側に張り出しているのに対し、その面板部６５の他端部が、上記筐体６２の他端側に張り出していて、その他端部の上記ビス止め片部７１が筐体６２の下面と略同一の高さ位置に配備されている。
【００２８】
図２によって判るように、シールド部材４１を有するデジタル信号処理基板４０には、上記したチューナユニット６０のピン型端子６３が差込み接続されるコネクタ９１が搭載されている。また、シールド部材４１には、チューナユニット６０のシールド板６４に設けられている上記接触片部６９を挿入して係合させることのできる差込み口４２が開設されている。
【００２９】
次に、上記構成を備えたチューナユニット６０をアナログ信号処理基板５０に実装した状態を図３を参照して説明する。同図のように、チューナユニット６０は、そのチューナ本体６１がアナログ信号処理基板５０の板面に重ね合わされている。そして、シールド板６４の接触片部６９が、デジタル信号処理基板４０のシールド部材４１に開設されている差込み孔４２に挿入されていて、その接触片部６９の根元部分が差込み口４２の口縁部４３に接触している。また、口縁部４３の内面に接触片部６９が係合することによって差込み口４２からの接触片部６９の抜出しが阻止されている。さらに、シールド板６４のビス止め片部７１に開設されている挿入孔７２（図２参照）とアナログ信号処理基板５０に設けられているビス挿入孔５１（図２参照）とに挿通された取付けビス８０が、フレーム部材１２のねじ孔１３（図２参照）にねじ込まれることによって、ビス止め片部７１がアナログ信号処理基板５０に固定されている。さらに、チューナ本体６１から突き出ているピン型端子６３は、折り曲げられて上記コネクタ９１に差込み接続されている。
【００３０】
チューナユニット６０が図３の状態でアナログ信号処理基板５０に実装されていると、チューナ本体６１が、チューナ本体６１の筐体６２とシールド板６４との両方による電磁波シールド性によって電磁波から防護される。そのため、アナログ信号処理基板５０にチューナ本体６１を覆うシールドケースを別途取り付けたりしなくても、チューナ本体６１がノイズの影響を受けることが抑制される。また、汎用的で安価なチューナでは、外郭が箱形の筐体によって形成されている。そのため、この実施形態では、そのような汎用的で安価なチューナ本体６１にシールド板６４を追加するだけで電磁波シールド性の改善されたチューナユニット６０が得られるという利点がある。言い換えると、電磁波シールド性を改善するために筐体６１の形状を変更したりする必要がないという利点がある。
【００３１】
この実施形態では、チューナ本体６１にあらかじめシールド板６４を固定することによって構成したチューナユニット６０を、アナログ信号処理基板５０に実装することと、ピン型端子６３をデジタル信号処理基板４０側のコネクタ９１に差込み接続することと、シールド板６４の接触片部６９をデジタル信号処理基板４０側のシールド部材４１に係合させて接触させることと、を行うだけで、高性能な電磁波シールド構造が組み立てられる。
【００３２】
図４はチューナユニット６０をアナログ信号処理基板５０に実装する途中段階の状態を示している。同図によって判るように、チューナユニット６０をアナログ信号処理基板５０に実装する工程では、チューナ本体６１から突出しているピン型端子６３をデジタル信号処理基板４０側のコネクタ９１に差し込むことと、シールド板６４の接触片部６９をデジタル信号処理基板４０側のシールド部材４１の差込み孔４２に差し込むこととを行った後、図中矢印Ｔのようにシールド板６４のビス止め片部７１をチューナ本体６１と共にアナログ信号処理基板５０に近付けていってそのアナログ信号処理基板５０に重ね合わせる。この後、図２に示したように、ビス止め片部７１の挿入孔７２とアナログ信号処理基板５０のビス挿入孔５１とに取付けビス８０を挿通させてフレーム部材１２のねじ孔１３にねじ込む。
【００３３】
この実施形態では、シールド板６４の接触片部６９をシールド部材４１の差込み口４２の口縁部４３の内面に重なり状に係合させたときに、ビス止め片部７１の挿入孔７２がアナログ信号処理基板５０のビス挿入孔５１に位置合わせされるように、挿入孔７２と接触片部６９との間隔が定められている。このため、図４の矢印Ｔのようにシールド板６４のビス止め片部７１をチューナ本体６１と共にアナログ信号処理基板５０に近付けていってそのアナログ信号処理基板５０に重ね合わせるだけで、ビス止め片部７１の挿入孔７２とアナログ信号処理基板５０のビス挿入孔５１とが一致する。このことにより、取付けビス８０によるビス止め片部７１の固定を容易にかつ迅速に行うことが可能になる。
【００３４】
なお、ピン型端子６３は、チューナ本体６１の電位をグランドに落とす役割を担っている。また、コネクタ９１はデジタル信号処理基板４０のグランドパターンに接続されている。そのため、ピン型端子６３がコネクタ９１に差込み接続されることによって、チューナユニット６０の電磁波シールド性がいっそう高められたものになる。
【図面の簡単な説明】
【００３５】
【図１】本発明の実施形態に係る電磁波シールド構造を示した概略側面図である。
【図２】チューナユニット及びそのチューナユニットをアナログ信号処理基板に取り付ける際の組立工程を例示した説明図である。
【図３】電磁波シールド構造の要部を示した一部破断側面図である。
【図４】アナログ信号処理基板に対するチューナユニットの組立工程で行われる動作手順を示した説明図である。
【図５】シールド板を例示した概略斜視図である。
【符号の説明】
【００３６】
４０  デジタル信号処理基板
４１  シールド部材
４２  差込み口
４３  差込み口の口縁部
５０  アナログ信号処理基板
５１  ビス挿入孔
６０  チューナユニット
６１  チューナ本体
６２  チューナ本体の筐体
６３  ピン型端子
６４  シールド板
６５  シールド板の面板部
６６  半田付け片
６７  孔部
６９  接触片部
７１  ビス止め片部
７２  取付けビスの挿入孔
【図１】
2009266907.tif 000003
【図２】
2009266907.tif 000004
【図３】
2009266907.tif 000005
【図４】
2009266907.tif 000006
【図５】
2009266907.tif 000007